(57)【要約】【課題】レーザシャッターの動作信頼性向上。【解決手段】レーザシャッターに一体のバネ部が２箇所設けられており、光線の進行方向から見て、２箇所のバネが対称に配置されている。【選択図】　　　　図１
2004053747.tif 000002
【特許請求の範囲】
【請求項１】
少なくとも、回転多面鏡を備えた光偏向器、走査レンズ、折り返しミラー、１つ以上の発光点を有する半導体レーザと、該半導体レーザから出射された光束を遮る遮蔽部材を含む走査光学装置において、遮蔽部材は樹脂成型品であり、弾性変形する部位を複数設けたことを特徴とする走査光学装置。
【請求項２】
前記遮蔽部材の弾性変形する部位は偶数個設けられており、光束の進行方向から見たときに対称であることを特徴とする請求項１記載の走査光学装置。
【請求項３】
前記遮蔽部材の移動方向は水平方向であることを特徴とする請求項１記載の走査光学装置。
【発明の詳細な説明】
【０００１】
【発明の属する技術分野】
本発明は、レーザビームプリンタやデジタル複写機等の走査光学装置に関するものである。
【０００２】
【従来の技術】
従来は特開平０６−１９８９５１号公報のように光偏向器９５によって走査された後のビームを遮蔽する遮蔽部材９６が設けられていた（図４）。
【０００３】
また他の従来のビーム遮蔽手段として、特開平０４−２９１６８号公報のように、遮蔽部材９７の開口部９７ｃをビームＢが通る状態（図５（ｂ））から遮蔽部材９７を上下動させることで、開口部９７ＣからビームＢが外れ、遮蔽部（９７ａ，９７ｂ）によって、ビームＢが遮られる状態（図５（ａ））になるものがあった。
【０００４】
【発明が解決しようとする課題】
しかしながら、特開平０６−１９８９５１号公報の走査光学装置における遮蔽部材９６は、走査された後の光を遮蔽するため、遮蔽部材９６の大きさが大きくなるので、装置内の占有面積が大きくなり、装置の小型化には適していなかった。またコストの占める割合が大きかった。
【０００５】
また、特開平０４−２９１６８号公報の走査光学装置における遮蔽部材９７は、安価な構成であるが、遮蔽部材９７を閉じるときに作用するバネ９９が片持ちのアーム形状であるため、遮蔽部材９７が閉じる方向に対して回転する力がかかり、遮蔽部材９７をガイドする壁との摩擦により遮蔽部材９７の動作不良を発生させる問題があった。特に遮蔽部材９７の開閉方向が水平方向になる走査光学装置の場合遮蔽部材９７の動作不良を発生させやすい。
【０００６】
【課題を解決するための手段】
上記目的を達成するため、本出願に係る発明は、少なくとも、回転多面鏡を備えた光偏向器、走査レンズ、折り返しミラー、１つ以上の発光点を有する半導体レーザと該半導体レーザから出射された光束を遮る遮蔽部材を含む走査光学装置において、遮蔽部材は樹脂成型品であり、弾性変形する部位を複数設けたことを特徴とする。
【０００７】
また、前記遮蔽部材の弾性変形する部位は偶数個設けられており、光束の進行方向から見たときに対称であることを特徴とする。
【０００８】
また、前記遮蔽部材の移動方向は水平方向であることを特徴とする。
【０００９】
以上、本発明を整理して要約すれば以下の構成に集約できる。
【００１０】
（１）少なくとも、回転多面鏡を備えた光偏向器、走査レンズ、折り返しミラー、１つ以上の発光点を有する半導体レーザと、該半導体レーザから出射された光束を遮る遮蔽部材を含む走査光学装置において、遮蔽部材は樹脂成型品であり、弾性変形する部位を複数設けたことを特徴とする走査光学装置。
【００１１】
（２）前記遮蔽部材の弾性変形する部位は偶数個設けられており、光束の進行方向から見たときに対称であることを特徴とする前記（１）記載の走査光学装置。
【００１２】
（３）前記遮蔽部材の移動方向は水平方向であることを特徴とする前記（１）記載の走査光学装置。
【００１３】
【発明の実施の形態】
本発明を図１〜図３に図示の実施例に基づいて詳細に説明する。図１は第１の実施例を説明する走査光学装置の図を示している。図２は第１の実施例における遮蔽部材近傍を説明する断面図である。光学箱１に収納されている走査光学装置において、半導体レーザ光源２の前方の光路上には、コリメータレンズ３、シリンドリカルレンズ４、モータ５により回転駆動する回転多面鏡６が順次に配列されており、回転多面鏡６の偏向反射面６ａの反射方向の光路上には、ｆθレンズ７、表面反射鏡８が配列されている。本実施例の走査光学装置は走査光学装置を搭載する装置内で走査線が垂直方向に向くように配置されている。
【００１４】
半導体レーザ光源２の近傍には遮蔽部部材であるレーザシャッター９が設けられており、このレーザシャッター９は本体の前カバーまたはトナーカートリッジに連動して動く押圧部材１０によって左方向に押される押圧部１１と、レーザ光の光路を閉塞する遮蔽部１２と、レーザ光を出射する開口部１３から形成されている。また、レーザシャッター９の上部には戻しばね部１４が一体に設けられており、戻しばね部１４は光学箱１の蓋１５に当接している。レーザシャッター９の左右の摺動動作を規制する案内リブ１６が光学箱１に設けられている。
【００１５】
レーザシャッター９は閉動作時には押圧部１１が戻しばね１４によって常時右方向に与圧されて光学箱１の壁面に突き当たった位置で停止しており、レーザ光を遮蔽している。また、レーザシャッター９は開動作時には押圧部材１０により押圧部１１が押されてレーザシャッター９は左方向に移動し、光路上にあった遮蔽部１２はレーザ光の光路を遮らない開口部１３の位置に移動して光量を１００％通過させる。
【００１６】
図３ａに示すように戻しばね１４は１４ａと１４ｂの２本で構成されている。１４ａと１４ｂは光束の進行方向から見て対称である。戻しばね１４が１本で構成されていると図３ｂに示すようにシャッター９に回転方向の力がかかり、案内リブ１６との摩擦力が高くなりシャッター９が閉じなくなる動作不良が発生する。本実施例のように戻しばね１４は１４ａと１４ｂの２本で構成されていれば、シャッター９に回転方向の力がかかることなく、案内リブ１６との摩擦力が高くなることはないので動作不良を回避することができる。
【００１７】
本実施例のようにシャッターの移動方向が左右方向であり、自重で閉じることができない構成においては特に有効である。
【００１８】
【発明の効果】
以上説明したように、本発明によれば、少なくとも、回転多面鏡を備えた光偏向器、走査レンズ、折り返しミラー、１つ以上の発光点を有する半導体レーザと該半導体レーザから出射された光束を遮る遮蔽部材を含む走査光学装置において、遮蔽部材は樹脂成型品であり、弾性変形する部位を複数設けたことで、遮蔽部材を押し戻す力が強くなり、遮蔽部材と遮蔽部材のガイド部の摩擦による動作不良の発生を抑制する効果がある。
【００１９】
また、前記遮蔽部材の弾性変形する部位は偶数個設けられており、光束の進行方向から見たときに対称であることで、遮蔽部材の移動方向に対し回転する力を与えないので遮蔽部材と遮蔽部材のガイド部の摩擦による動作不良の発生を抑制する効果がある。
【００２０】
このような遮蔽部材は遮蔽部材の移動方向が水平方向であるときには特に有効である。
【図面の簡単な説明】
【図１】本発明の走査光学装置の構成を示す図
【図２】本発明の走査光学装置におけるシャッター部を示す図
【図３】（ａ），（ｂ）　本発明の第１の実施例を従来と比較し説明する図
【図４】従来の走査光学装置を説明する図
【図５】（ａ），（ｂ）　従来の走査光学装置を説明する図
【符号の説明】
１　光学箱
２　レーザ光源
３　コリメータレンズ
４　シリンドリカルレンズ
５　モータ
６　回転多面鏡
７　ｆθレンズ
８　表面反射鏡
９　シャッター
【図１】
2004053747.tif 000003
【図２】
2004053747.tif 000004
【図３】
2004053747.tif 000005
【図４】
2004053747.tif 000006
【図５】
2004053747.tif 000007